(57)【特許請求の範囲】
【請求項１】
防水パンの一部を建具の枠体の下端部の形状に合わせて切欠き、この切欠き部と前記枠体の下端部とを水密に接合した建具の防水パンへの取付構造において、
前記切欠き部を縁取るように前記防水パンの下面に一体に形成した左右一対の側部リブおよび正面リブと、
前記正面リブに固定され、前記枠体の下端部を下支えすると共に前記一対の側部リブの下端面間に渡した支持枠と、
前記支持枠から前記正面リブに亘って布設され、前記一対の側部リブの下端面および前記枠体の下面と前記支持枠との間をシールすると共に、前記正面リブと前記支持枠との間をシールするシール部材とを備えたことを特徴とする建具の防水パンへの取付構造。
【請求項２】
前記支持枠は、前記一対の側部リブを越えて見付け方向に延在し、
且つ前記シール部材は、見付け方向において前記支持枠と略同一長さに形成されていることを特徴とする請求項１に記載の建具の防水パンへの取付構造。
【請求項３】
前記支持枠には、脱衣室側に前記枠体の下枠の浴室側を支持する下枠支持片が立設されると共に、浴室側に前記正面リブに固定される取付片が垂設され、
前記下枠の浴室側下面からベース面に至る高さ寸法と、前記各側部リブの下端面から防水パンの上面に至る高さ寸法とが、略同一に形成されていることを特徴とする請求項１または２に記載の建具の防水パンへの取付構造。
【請求項４】
前記支持枠は、前記シール部材を介在した状態で取付片により前記正面リブに固定され、且つこの状態で前記下枠支持片が前記両側部リブの脱衣室側端面に当接していることを特徴とする請求項３に記載の建具の防水パンへの取付構造。
【請求項５】
前記下枠支持片には、脱衣室側に向かって突出する係止部が形成され、
前記下枠の下面には、前記係止部に対し上方に抜止め状態で係止される係止受け部が形成されていることを特徴とする請求項４に記載の建具の防水パンへの取付構造。
【請求項６】
前記枠体の左右の縦枠と前記下枠とは縦枠通しで接合され、且つ各縦枠の下端部の一部は切り欠かれて、前記切欠き部を構成する防水パンの切欠き上縁部に着座し、
前記切欠き上縁部と前記各縦枠の下端との間に介設されると共に前記各縦枠の下端に先付けした一対の縦枠シール部材と、
前記正面リブと前記下枠との間に介設されると共に前記下枠に先付けした下枠シール部材とにより、前記切欠き部と前記枠体の下端部とが水密に接合されていることを特徴とする請求項１ないし５のいずれかに記載の建具の防水パンへの取付構造。
【請求項７】
前記各側部リブの内側に密着する左右一対の側部シール部材を、更に備え、
前記各側部シール部材は、前記各縦枠シール部材、前記下枠シール部材および前記シール部材に密着していることを特徴とする請求項６に記載の建具の防水パンへの取付構造。
【発明の詳細な説明】
【０００１】
【発明の属する技術分野】
本発明は、防水パンの縁部の一部を切欠いて形成した切欠き部と、これに臨む建具の下端部とを水密に接合した建具の防水パンへの取付構造に関するものである。
【０００２】
【従来の技術】
従来、この種の建具の防水パンへの取付構造として、例えば特開平８−１７７２５１号公報に記載のものが知られている。この取付構造では、防水パンの立上げ部分を切欠いた切欠き部に、外側からシールブロックを当てがい、建具の下枠が臨む部分を外側から囲ってこの部分全体を一括してシールするようにしている。この場合、シールブロックは、防水パンの切欠き部の両側端とその中間部分とに位置すると共に、防水パンに一体に形成したリブ状の支持プレート部に支持されており、その前面を防水パンの切欠き端部に密着し、且つ両外端面を両側の支持プレート部に密着することで、切欠き部廻りをシールしている。
【０００３】
【発明が解決しようとする課題】
このような従来の取付構造では、シールブロックの両外端面は、左右の支持プレート部に接触し、支持プレート部を貫通するビスにより固定されている。このため、ビスの締め付けが弱いと、支持プレートとシールブロックとの間、或いはビス孔から排水漏れが発生し易い問題があった。
【０００４】
本発明は、防水パンの切欠き部と枠体の下端部との間を、確実にシールすることができる建具の防水パンへの取付構造を提供することをその課題としている。
【０００５】
【課題を解決するための手段】
本発明の建具の防水パンへの取付構造は、防水パンの一部を建具の枠体の下端部の形状に合わせて切欠き、この切欠き部と枠体の下端部とを水密に接合した建具の防水パンへの取付構造において、切欠き部を縁取るように防水パンの下面に一体に形成した左右一対の側部リブおよび正面リブと、正面リブに固定され、枠体の下端部を下支えすると共に一対の側部リブの下端面間に渡した支持枠と、支持枠から正面リブに亘って布設され、一対の側部リブの下端面および枠体の下面と支持枠との間をシールすると共に、正面リブと支持枠との間をシールするシール部材とを備えたことを特徴とする。
【０００６】
この構成によれば、枠体の下端部の少なくとも浴室側は、これを下支えするように正面リブに固定した支持枠に支持され、この状態で防水パンの切欠き部に水密に接合されている。また、この支持枠から正面リブに亘って布設されたシール部材は、側部リブの下端面および枠体の下面と支持枠との間をシールすると共に、正面リブと支持枠との間をシールしている。
このため、水密に接合された切欠き部と枠体の下端部との間から排水が漏れることがあっても、シール部材の正面リブと支持枠との間に介設した鉛直部分で、更なる下方への漏れが阻止され、且つ側部リブの下端面および枠体の下面と支持枠との間に介設した水平部分で、更なる後方（脱衣室側）および両側方への漏れが阻止される。
【０００７】
この場合、支持枠は、一対の側部リブを越えて見付け方向に延在し、且つシール部材は、見付け方向において支持枠と略同一長さに形成されていることが、好ましい。
【０００８】
この構成によれば、各側部リブの下端面がシール部材に接触しこれを押し潰した状態では、各側部リブの両側にシール部材が廻り込むため、この部分のシール性を格段に向上させることができる。すなわち、両側方への排水の漏れを確実に防止することができる。
【０００９】
これらの場合、支持枠には、脱衣室側に枠体の下枠の浴室側を支持する下枠支持片が立設されると共に、浴室側に正面リブに固定される取付片が垂設され、下枠の浴室側下面からベース面に至る高さ寸法と、各側部リブの下端面から防水パンの上面に至る高さ寸法とが、略同一に形成されていることが、好ましい。
【００１０】
この構成によれば、下枠の浴室側は、防水パンの正面リブに固定された支持枠の下枠支持片に支持されるが、その際、下枠の浴室側下面からベース面に至る高さ寸法と、各側部リブの下端面から防水パンの上面に至る高さ寸法とが略同一となっているため、一対の側部リブおよび下枠の下面において、すなわちシール部材の水平部分においてその潰れ寸法が均一化し、この部分のシールが安定したものとなる。
【００１１】
この場合、支持枠は、シール部材を介在した状態で取付片により正面リブに固定され、且つこの状態で下枠支持片が両側部リブの脱衣室側端面に当接していることが、好ましい。
【００１２】
この構成によれば、取付片を正面リブに固定した状態で、下枠支持片が両側部リブの脱衣室側端面に当接するため、シール部材の鉛直部分においてその潰れ寸法が均一化し、この部分のシールが安定したものとなる。
【００１３】
この場合、下枠支持片には、脱衣室側に向かって突出する係止部が形成され、下枠の下面には、係止部に対し上方に抜止め状態で係止される係止受け部が形成されていることが、好ましい。
【００１４】
この構成によれば、支持枠に下枠を着座（支持）させた状態で、下枠支持片に形成した係止部が下枠に形成した係止受け部に係止され、上方に抜止め状態となるため、下枠を支持枠にビス止め等しなくても、下枠の脱落を防止することができ、枠体の施工性を向上させることができる。なお、係止部の係止受け部への係止は、下枠の浴室側前端を中心に斜め尻上がりの状態から、回動させて係止する形態とすることが。好ましい。
【００１５】
これらの場合、枠体の左右の縦枠と下枠とは縦枠通しで接合され、且つ各縦枠の下端部の一部は切り欠かれて、切欠き部を構成する防水パンの切欠き上縁部に着座し、切欠き上縁部と各縦枠の下端との間に介設されると共に各縦枠の下端に先付けした一対の縦枠シール部材と、正面リブと下枠との間に介設されると共に下枠に先付けした下枠シール部材とにより、切欠き部と枠体の下端部とが水密に接合されていることが、好ましい。
【００１６】
この構成によれば、一対の縦枠シール部材と下枠シール部材とにより、切欠き部と枠体の下端部とが水密に接合されることができる。またその際、各縦枠シール部材を各縦枠の下端に先付けし、且つ下枠シール部材を下枠に先付けしておくことで、枠体の設置と同時に各シール部材の介設を行うことができ、施工性を格段に向上させることができる。
【００１７】
この場合、各側部リブの内側に密着する左右一対の側部シール部材を、更に備え、各側部シール部材は、各縦枠シール部材、下枠シール部材およびシール部材に密着していることが、好ましい。
【００１８】
この構成によれば、一対の側部シール部材により、各側部リブの内側におけるシールを確実に行うことができ、支持枠廻りのいわゆる二次シールを良好に行うことができる。
【００１９】
【発明の実施の形態】
以下、添付図面を参照して、本発明の一実施形態に係る建具の防水パンへの取付構造について説明する。防水パンを浴室床とするこの浴室は、脱衣室との間に段差を無くしたバリアフリー設計のユニットバスで構成されており、浴室の防水パンと脱衣室の床との間において、枠体の下枠を浴室に向かって幾分傾斜させ、全体として大きな生じないように設計されている。図１は建具に折戸を用いた浴室（ユニットバス）の出入り口の下枠廻りの拡大縦断面図であり、図２はその横断面図および正面図である。これらの図に示すように、防水パン１の折戸２が臨む部分は、防水パン１の縁部が、折戸枠（枠体）３の下端部におれる浴室側略半部の形状に対応して切り欠かれている。
【００２０】
より具体的には、防水パン１は、四周縁部に亘って立ち上げた立上げ部４を有しており、折戸２が取り付けられる部分は、見込み方向において最外端の正面リブ５の部分から立上げ部４にかけて切り欠いた切欠き部６となっている。また、この切欠き部６の見付け方向の切欠き幅は、折戸枠３の下端部の幅に、より厳密には、折戸枠３の両縦枠１２，１２の主要部間の幅に対応している。
【００２１】
さらに、防水パン１の下面には、上記の正面リブ５と共に切欠き部６を縁取るように左右一対の側部リブ７，７が一体に形成されている（図３参照）。すなわち、防水パン１の切欠き部６と共に防水パン１に一体に形成した正面リブ５および一対の側部リブ７，７により、折戸枠３の下端部（主に下枠１１）が収容されるスペースが構成されている。そして、本実施形態では、この切欠き部６に臨んだ下枠（折戸枠３の下端部）１１を下支えするように、支持枠８が配設されている。
【００２２】
切欠き部６に臨む折戸２は、折戸本体（下框部分のみ図示）９とこれを開閉自在に支持する折戸枠３とで構成されている。折戸枠３は、上枠（図示省略）と下枠１１と左右一対の縦枠１２，１２とを四周枠組みして構成されており、これら各構成枠１１，１２は、それぞれアルミニウムの形材で形成されている。この場合、下枠１１は、脱衣室Ｂ側を脱衣室床Ｂａに支持され、浴室Ａ側を上記の支持枠８にその略半部を臨ませるようにして支持されている。
【００２３】
下枠１１は、中空形状を為す下枠本体２１と、下枠本体２１の浴室Ａ側上面に装着した足着きアタッチメント２２と、下枠本体２１の脱衣室Ｂ側上面に装着した上向きシール部材２３とで、構成されている。上向きシール部材２３は、先端部に二股の密接片部２３ａと上向きの水返し片部２３ｂとを有し、その密接片部２３ａで、折戸本体９の下框１４の脱衣室Ｂ側下端部に形成した屈曲部分に密接している。
【００２４】
下枠本体２１は、浴室Ａ側の略半部を薄手の中空部分とし脱衣室側の略半部を厚手の中空部分とした本体中空部２５と、本体中空部２５の浴室Ａ側上面に形成した一対のアタッチメント取付片２６ａ，２６ｂと、本体中空部２５の見込み方向の中間部上面に立設した下ガイドレール２７と、本体中空部２５の脱衣室Ｂ上面に形成したシール取付部２８および下枠見切り片２９とで、一体に形成されている。
【００２５】
本体中空部２５は、下枠本体２１の主体を為しており、上面が平坦（水平）に形成されると共に下面の見込み方向の略中間位置に窪み部３１が形成されている。本体中空部２５の上面は下枠１１のベース面１１ａを構成しており、このベース面１１ａと防水パン１の上面（床面）１ａとが面一に配設されている。また、窪み部３１の脱衣室Ｂ側には、後述する支持枠８の係止部５４に係止される係止受け部３２が浴室Ａ側に向かって突設されている。
【００２６】
一対のアタッチメント取付片２６ａ，２６ｂは、ベース面１１ａに立設した浴室Ａ側の小突起２６ａと脱衣室側のＬ字突起２６ｂとからなり、詳細は後述するが、足着きアタッチメント２２はこの小突起２６ａおよびＬ字突起２６ｂに係止されている。下ガイドレール２7は、ベース面１１ａに立設されており、その上部には樹脂製のレールキャップ３４が装着されている。そして、折戸本体９のスライダ（図示省略）がこのレールキャップ３４上をスライドすると共に、折戸本体９の下框１４の浴室Ａ側下端部に設けた下向きシール部材１５が、このレールキャップ３４に密接するようになっている。すなわち、閉塞状態の折戸本体９の下框１４と折戸枠３の下枠１１との間において、浴室Ａ側の排水は、下向きシール部材１５により一次止水され、上向きシール部材２３により二次止水されるようになっている。
【００２７】
下枠見切り片２９は、ベース面１１ａより幾分高い位置に水平に延在しており、脱衣室Ｂの床面に固定されている。すなわち、下枠１１の脱衣室Ｂ側は、この下枠見切り片２９で脱衣室床Ｂａに支持されている。シール取付部２８は、下枠見切り片２９の背面側およびベース面１１ａにそれぞれ形成した、対向する２つの鉤片２８ａ，２８ｂにより構成されており、この部分に上記の上向きシール部材２３が装着されている。
【００２８】
足着きアタッチメント２２は、防水パン１に向かって前下がりに傾斜する足着きプレート３６と、足着きプレート３６の下面に突設した浴室Ａ側の短脚片３７および脱衣室Ｂ側の長脚片３８とで、一体に形成されている。また、長脚片３８の上部には、脱衣室Ｂ側に突出するように係止突起３９が形成されており、この係止突起３９が上記アタッチメント取付片２６ａ，２６ｂのＬ字突起２６ｂに係止され、且つ短脚片３７が小突起２６ａに脱衣室Ｂ側から当接して、足着きアタッチメント２２がアタッチメント取付片２６ａ，２６ｂに掛止めされている。この状態で、足着きプレート３６の先端は、下枠１１を越えて防水パン（切欠き部６）１の端部近傍まで延びている。すなわち、傾斜した足着きプレート３６の延長線上に、切欠き部６の脱衣室Ｂ側の端部および下枠見切り片２９の浴室Ａ側の端部が位置し、下枠１１の傾斜が違和感の無いものとなっている。
【００２９】
一方、図２に示すように各縦枠１２は、外向き「Ｌ」字の中空形状を為す縦枠本体４１と、縦枠本体４１の脱衣室Ｂ側から内側に直角に延びるシール取付片部４２と、縦枠本体４１から脱衣室Ｂ側に延びる縦枠見切り片４３とで、一体に形成されている。特に図示しないが、シール取付片部４２には、樹脂で構成された鰭状のシール部材とモヘアで構成されたシール部材とが装着され、また縦框には縦枠本体４１に向かって延びるシール部材が装着されていて、この部分が３重にシールされている。
【００３０】
各縦枠１２と下枠１１とは、いわゆる縦枠１２通しで接合されており、且つ各縦枠１２の下端部の一部は切り欠かれて、上記の切欠き部６を構成する防水パン１の切欠き上縁部１６に着座している。また、縦枠１２の下端部には、切欠いた部分に沿うように小口キャップ４４が装着され、この小口キャップ４４と防水パン１の切欠き上縁部１６との間に、縦枠シール部材４６が介設されている。すなわち、左右の縦枠１２，１２の下端と防水パン１の左右の切欠き上縁部１６，１６との間は、一対の縦枠シール部材４６，４６によりシールされている。そして、この各縦枠シール部材４６は、先付け形式で小口キャップ４４の下面に貼着されている。
【００３１】
同様に、下枠（本体中空部２５）１１の浴室Ａ側前面と正面リブ５との間には、下枠１１の長手方向の全長に亘って下枠シール部材４７が介設されている。この場合も、下枠シール部材４７は、先付け形式で本体中空部２５の浴室Ａ側前面に水平に貼着されている。したがって、四周枠組みした折戸枠３を防水パン１の切欠き部６に装着すると、一対の縦枠シール部材４６，４６が防水パン１の左右の切欠き上縁部１６，１６に密着し、且つ下枠シール部材４７が正面リブ５に密着して、防水パン１との折戸枠３とが水密に接合されるようになっている。
【００３２】
図３に示すように、正面リブ５は、防水パン１の下面から下方に長く下垂し、且つ防水パン１を横断するように見付け方向に長く延在している。これに対し、一対の側部リブ７，７は、防水パン１の下面から下方に短く下垂し、且つ正面リブ５から見込み方向に突出するよう形成されている。なお、一対の側部リブ７，７は、建具専用に形成してもよいし、防水パン１の縦断リブ１７の端部を小さく切り欠いて形成してもよい。また、切欠き部６の３辺を構成する３つの切欠き端面が、正面リブ５および両側部リブ７，７の側面とそれぞれ面一になるように仕上げられており、この部分において支持枠８は、両側部リブ７，７に下側からあてがわれた状態で正面リブ５に固定されている（図４参照）。
【００３３】
図１および図４に示すように、支持枠８はアルミニウムの形材等で構成されており、主体を為す横長の中空部５１、中空部５１の脱衣室Ｂ側端から上方に立設した下枠支持片５２と、中空部５１の浴室Ａ側端から下方に垂設した取付片５３とで、一体に形成されている。この場合、支持枠８は、両側部リブ７，７の下端面間に渡すように、より好ましくは図４に示すように、長手方向において両側部リブ７，７を越えて延在している。取付片５３の下端部は、正面リブ５の下端部の形状に合わせて「Ｌ」字状に突出しており、この「Ｌ」字状部分を正面リブ５の下端部に係合した状態で、取付片５３が正面リブ５にねじ止めされている。
【００３４】
下枠支持片５２は、中空部５１の上面から立ち上がっており、その上端部には脱衣室Ｂ側に突出するように係止部５４が形成されている。そして、この係止部５４に下枠（本体中空部２５）１１に形成した係止受け部３２に係止されるようになっている。より具体的には、図６に示すように、四周を枠組した折戸枠３を全体に浴室Ａ側に傾け、下枠１１の浴室Ａ側前端を防水パン１の切欠き部６にあてがうようにしてから、これを鉛直姿勢になるように回動させることで、支持枠８の係止部５４に下枠１１の係止受け部３２が係止されるようになっている。係止部５４に係止受け部３２が係止されると、下枠１１は上方に抜止め状態となって設置される。
【００３５】
一方、支持枠８の中空部５１には、その上面から浴室Ａ側前面に亘って、支持枠シール部材（シール部材）５６が直角に屈曲するようにして布設されている。この場合、支持枠シール部材５６は支持枠８と略同一長さを有し、図４に示すように、長手方向において両側部リブ７，７を越えて延在している。したがって、支持枠８は、支持枠シール部材５６の水平部分５６ａを介在した状態で両側部リブ７，７の下端面に当てがわれ、また下枠１１の脱衣室側下面は、上記水平部分５６ａを介在した状態で支持枠８上に着座している。
【００３６】
同様に、支持枠８は、支持枠シール部材５６の鉛直部分５６ｂを介在した状態で、正面リブ５に固定されている。すなわち、支持枠シール部材５６の水平部分５６ａにより、一対の側部リブ７，７の下端面および折戸枠３の下面と支持枠８との間がシールされ、鉛直部分５６ｂにより、正面リブ５と支持枠８との間がシールされている。なお、支持枠シール部材５６は、先付け形式で支持枠８に貼着されていることが、好ましい。
【００３７】
一方、支持枠８廻りおいて、下枠１１の浴室Ａ側下面からベース面１１ａに至る高さ寸法と、各側部リブ７の下端面から防水パン１の上面１ａに至る高さ寸法とが、略同一に形成されている。これにより、支持枠８の下枠支持片５２に係止された下枠１１は、そのベース面１１ａが防水パン１の上面１ａと略面一に配設され、且つ浴室Ａ側の下面および両側部リブ７，７の下端面７ａが、支持枠シール部材５６の水平部分５６ａを幾分押し潰して設置される。したがって、支持枠シール部材５６の水平部分５６ａは、均一且つ適度に押し潰されて安定なシール性を発揮する。
【００３８】
同様に、支持枠８は、支持枠シール部材５６を介在した状態で取付片５３により正面リブ５に固定されるが、この状態で支持枠８の下枠支持片５２は両側部リブ７の脱衣室側端面７ｂに当接するようになっている。すなわち、支持枠８を正面リブ５に適切に固定すると、支持枠シール部材５６の鉛直部分５６ｂが幾分押し潰された状態となる。したがって、この場合も、支持枠シール部材５６の鉛直部分５６ｂは、均一且つ適度に押し潰されて安定なシール性を発揮する。
【００３９】
このように支持枠８廻りでは、支持枠シール部材５６により上下方向および見込み方向においてシールが為されるが、見付け方向においては、一方、図２（ｂ）に示すように、各側部リブ７の内側面に配設した一対の側部シール部材５８，５８により、シールが為されるようになっている。各側部シール部材５８は、側部リブ７の内側面に貼着され、その上端面は上記の縦枠シール部材４６に、前端面は下枠シール部材４７に、さらに下端面は支持枠シール部材５６の水平部分５６ａに密着している。これにより、支持枠８廻りの見付け方向の両側部がシールされている。
【００４０】
ここで、図５ないし図７を参照して、折戸枠３の防水パン１および脱衣室床Ｂａへの取付手順について、簡単に説明する。先ず、図５に示すように、支持枠シール部材５６を貼着した支持枠８を、両側部リブ７，７間に位置合わせしておいて、正面リブ５にねじ止め固定する。次に、両側部リブ７，７の内側面に、それぞれ側部シール部材５８，５８を貼着する（図２（ｂ）参照）。
【００４１】
ここで、予め四周を枠組みし、且つ両縦枠シール部材４６，４６および下枠シール部材４７を貼着した折戸枠３を持ち込み、下枠１１の浴室Ａ側前端を防水パン１の切欠き部６にあてがうように位置合わせしてから、これを鉛直姿勢になるように回動させ、支持枠８の係止部５４に下枠１１の係止受け部３２が係止されるようにして、折戸枠３を設置する（図６参照）。そして、最後に下枠見切り片を脱衣室床にねじ止めする（図７参照）。
【００４２】
以上のように、本実施形態では、防水パン１の切欠き部６と折戸枠３との接合部分において、一対の縦枠シール部材４６，４６と下枠シール部材４７とにより一次シールが為され、且つ支持枠シール部材５６と一対の側部シール部材５８，５８とにより二次シールが為されるようになっている。すなわち、経年変化等により縦枠シール部材４６や下枠シール部材４７の部分から排水が漏れることがあっても、支持枠シール部材５６および側部シール部材５８により、これを確実にシールすることができる。
【００４３】
特に、支持枠シール部材５６は、両側部リブ７，７の下端面に密着するため、シールの難しい見付け方向の両端部のシールを確実に行うことができ、排水の側方から漏れを確実に防止することができる。なお、本発明は、上記の折戸は元より、防水パンの切欠き部に設置される２枚引戸、３枚引戸、片引戸、浴室ドア等の各種の建具に適用できることは、いうまでもない。また、浴室の他、シャワー室等の、防水パンを持つ各種水場にも適用可能である。
【００４４】
【発明の効果】
以上のように本発明の建具の防水パンへの取付構造によれば、防水パンの切欠き部と枠体の下端部との間から排水が漏れることがあっても、シール部材の正面リブと支持枠との間に介設した鉛直部分、および側部リブの下端面および枠体の下面と支持枠との間に介設した水平部分で、更なる排水の漏れが阻止されるため、防水パンの切欠き部と枠体の下端部との間を、二重にシールすることができ、この部分を確実にシールすることができる。
【図面の簡単な説明】
【図１】本発明の一実施形態に係る建具の防水パンへの取付構造を適用した浴室の折戸枠廻りの拡大縦断面図である。
【図２】実施形態に係る建具の防水パンへの取付構造を適用した折戸枠廻りの横断面図（同図（ａ））および正面図（同図（ｂ））である。
【図３】防水パンの切欠き部廻りの斜視図である。
【図４】防水パンの切欠き部廻りと支持枠との関係を表した斜視図である。
【図５】折戸枠の防水パンへの取付手順（１）を示す折戸枠廻りの拡大縦断面図である。
【図６】折戸枠の防水パンへの取付手順（２）を示す折戸枠廻りの拡大縦断面図である。
【図７】折戸枠の防水パンへの取付手順（３）を示す折戸枠廻りの拡大縦断面図である。
【符号の説明】
１  防水パン、１ａ  上面、２  折戸、３  折戸枠、４  立上げ部、５  正面リブ、６  切欠き部、７  側部リブ、７ａ  下端面、７ｂ  脱衣室側端面、８  支持枠、１１  下枠、１１ａ  ベース面、１２  縦枠、１６  切欠き上縁部、２１  下枠本体、２５  本体中空部、３２  係止受け部、４１  縦枠本体、４６  縦枠シール部材、４７  下枠シール部材、５１  中空部、５２  下枠支持片、５３  取付片、５４  係止部、５６  支持枠シール部材、５６ａ  水平部分、５６ｂ  鉛直部分、５８  側部シール部材、Ａ  浴室、Ｂ  脱衣室
【図１】
0003949974.tif 000002
【図２】
0003949974.tif 000003
【図３】
0003949974.tif 000004
【図４】
0003949974.tif 000005
【図５】
0003949974.tif 000006
【図６】
0003949974.tif 000007
【図７】
0003949974.tif 000008